(57)【要約】      （修正有）【課題】釣糸を引き出したときにその中途部を挟持でき、さらに、釣糸を容易に巻き戻すこともできる釣糸用スプールを提供する。【解決手段】筒状の胴部２１と前記胴部２１の両端部に設けられたフランジ部２２とを有する巻装部材２と、前記フランジ部２２に取り付けられ且つ周縁部３２１同士が互いに接する１組の扉部材３，３と、を有し、前記一方の扉部材３の周縁部３２１と他方の扉部材の周縁部３２１の間で釣糸を挟持できる様にして釣糸用スプール１を形成する。さらに、前記１組の扉部材３，３が、前記フランジ部２の外周縁部２２１に嵌合可能な溝部３４を有し、前記溝部３４を前記フランジ部２の外周縁部２２１に嵌合することにより、前記扉部材３が前記フランジ部２２に着脱可能に取り付けられている。【選択図】図４
0003172915.tif 000002
【実用新案登録請求の範囲】
【請求項１】
筒状の胴部と前記胴部の両端部に設けられたフランジ部とを有する巻装部材と、
前記フランジ部に取り付けられ且つ周縁部同士が互いに接する１組の扉部材と、を有し、前記一方の扉部材の周縁部と他方の扉部材の周縁部の間で釣糸を挟持できる釣糸用スプールであって、
前記１組の扉部材が、前記フランジ部の外周縁部に嵌合可能な溝部を有し、
前記溝部を前記フランジ部の外周縁部に嵌合することにより、前記扉部材が前記フランジ部に着脱可能に取り付けられている、釣糸用スプール。
【請求項２】
前記１組の扉部材の周縁部の各周縁部には、前記胴部の径外方向に突出し且つ互いに接しない突出部が一体的に形成されている、請求項１記載の釣糸用スプール。
【請求項３】
前記１組の扉部材の周縁部のうち少なくとも一方の扉部材の周縁部が、断面視略円状に形成されている、請求項１または２記載の釣糸用スプール。
【請求項４】
前記１組の扉部材の周縁部のうち少なくとも一方の扉部材の周縁部には、他方の扉部材の周縁部側に突出し且つその周縁部に接する凸状部が形成されている、請求項１〜３の何れか一項に記載の釣糸用スプール。
【考案の詳細な説明】
【技術分野】
【０００１】
本考案は、釣糸を巻くために用いられるスプールに関する。
【背景技術】
【０００２】
一般に、釣糸は、筒状の胴部と胴部の両端部に設けられたフランジ部とからなる巻取り部を有する釣糸用スプールに巻き取られた状態で保管される。そして、釣糸を使用する際に、使用者は、前記巻取り部に巻き取られた釣糸を引き出して所望の長さに切断した後、巻取り部に巻かれた釣糸の途中を、スプールのフランジ部に形成された略Ｖ字状の切込み部に係止する。
しかしながら、釣糸を切込み部に係止することは面倒である上、切込み部に係止させた釣糸の途中に曲がり癖が付くという問題点がある。
【０００３】
かかる問題点に鑑みて、釣糸を係止可能な扉部材が設けられた釣糸用スプールを用いることが知られている（特許文献１）。
具体的には、特許文献１の釣糸用スプールは、巻取り部を覆うように、１組のフランジ部から一体的に延設された１組の扉部材が形成されている。この１組の扉部材は、可撓性を有する柔軟な素材からなり、その周縁部が互いに付勢し合って接している（合掌状に当接している）。このように互いに相手方を押すように付勢し合っている１組の扉部材の各周縁部の間で、釣糸を狭持できる。よって、巻取り部に巻き付けられた釣糸は、扉部材の各周縁部の間にて常時挟持されているので、釣糸を引き出した後、巻取り部に巻かれた釣糸の途中をフランジ部の切込み部に係止しなくても、釣糸が巻取り部から解れないようになっている。
【０００４】
ところで、使用者は、必要以上にスプールから釣糸を引き出すことがある。このような場合には、使用者は、余分に引き出した釣糸を巻取り部に巻き戻すが、上記特許文献１の釣糸用スプールは巻取り部を覆うように扉部材が設けられているので、釣糸を巻き戻しにくいという問題点がある。
具体的には、上記特許文献１の釣糸用スプールに余分な釣糸を巻き戻す際には、釣糸を１組の扉部材の各周縁部の間に沿わしながら巻取り部に巻き戻さなければならない。しかしながら、この作業は、非常に煩雑である。
この点、巻取り部を開放するように、扉部材を反り返して扉部材の周縁部の当接を解除すれば、余分な釣糸を巻取り部に容易に巻き戻しできるようになる。しかしながら、扉部材は可撓性を有する柔軟な素材から形成されているため、扉部材に軽微な衝撃が加わるだけで、反り返した扉部材が元の状態（１組の扉部材の周縁部同士が当接する状態）に戻ることが多い。よって、使用者は、元の状態に戻った扉部材を再度反り返らせなければならず、何れにしても、従来の釣糸用スプールは、釣糸を容易に巻き戻すことができない。
加えて、商品の製造段階においても、同様の理由から、上記特許文献１の釣糸用スプールに商品としての釣糸を巻き付けにくい。
【先行技術文献】
【特許文献】
【０００５】
【特許文献１】特開２０１０−２１３６１２号公報
【考案の概要】
【考案が解決しようとする課題】
【０００６】
本考案の課題は、釣糸を引き出したときにその中途部を挟持でき、さらに、釣糸を容易に巻き戻すこともできる釣糸用スプールを提供することである。
【課題を解決するための手段】
【０００７】
本考案の釣糸用スプールは、筒状の胴部と胴部の両端部に設けられたフランジ部とを有する巻装部材と、フランジ部に取り付けられ且つ周縁部同士が互いに接する１組の扉部材と、を有し、一方の扉部材の周縁部と他方の扉部材の周縁部の間で釣糸を挟持できる釣糸用スプールであって、１組の扉部材が、フランジ部の外周縁部に嵌合可能な溝部を有し、溝部をフランジ部の外周縁部に嵌合することにより、扉部材がフランジ部に着脱可能に取り付けられている。
【０００８】
本考案の好ましい釣糸用スプールは、１組の扉部材の周縁部の各周縁部には、胴部の径外方向に突出し且つ互いに接しない突出部が一体的に形成されている。
【０００９】
本考案の好ましい釣糸用スプールは、１組の扉部材の周縁部のうち少なくとも一方の扉部材の周縁部が、断面視略円状に形成されている。
【００１０】
また、本考案の好ましい釣糸用スプールは、１組の扉部材の周縁部のうち少なくとも一方の扉部材の周縁部には、他方の扉部材の周縁部側に突出し且つその周縁部に接する凸状部が形成されている。
【考案の効果】
【００１１】
本考案の釣糸用スプールは、釣糸を引き出したときにその中途部を狭持できる。さらに、扉部材がフランジ部の外周縁部に凹凸嵌合によって着脱可能であるため、扉部材をフランジ部から取り外すことにより、釣糸の巻取り部を開放でき、その結果、引き出し過ぎた釣糸を容易に巻き戻すことができる。
【図面の簡単な説明】
【００１２】
【図１】本考案の釣糸用スプールの一実施形態を示す斜視図。
【図２】同側面図。
【図３】同正面図。
【図４】図３のＩＶ−ＩＶ線断面図。
【図５】同分解斜視図。
【図６】（ａ）は、本考案の扉部材を示す正面図、（ｂ）は、同側面図。
【図７】（ａ）、（ｂ）共に、本考案の釣糸用スプールの当接部における他の実施形態を示す一部省略要部拡大断面図。
【図８】本考案の釣糸用スプールの当接部における他の実施形態を示す一部省略要部拡大断面図。
【図９】（ａ）は、本考案の凸状部が形成された扉部材を有する釣糸用スプールの当接部における一部省略要部拡大断面図、（ｂ）は、凸状部が形成された扉部材の正面図。
【図１０】本考案の釣糸用スプールの他の実施形態を示す斜視図。
【考案を実施するための形態】
【００１３】
以下、本考案の一実施形態を図面を参照しつつ説明する。図１は、本考案の釣糸用スプールの一実施形態を示す斜視図であり、図２は、同側面図であり、図３は、同正面図であり、図４は、同断面図である。
本考案の釣糸用スプール１は、釣糸４が巻回される筒状の胴部２１と、胴部の両端部に設けられた１組のフランジ部２２，２２と、を有する巻装部材２を有する。さらに、１組のフランジ部２２，２２には、その外周縁部２２１，２２１に、１組の扉部材３，３が着脱可能に取り付けられている。１組の扉部材３，３は、その一方の扉部材３の周縁部３２１と他方の扉部材３の周縁部３２１との間で釣糸４を狭持することができる。
さらに、扉部材３は、フランジ部２２の外周縁部２２１に嵌合可能な溝部３４を有し、この溝部３４をフランジ部２２の外周縁部に嵌合することにより、扉部材３がフランジ部２２に着脱可能に取り付けられている。
以下、各部材の態様について具体的に説明する。ただし、本明細書において、「ＡＡＡ〜ＢＢＢ」は、ＡＡＡ以上ＢＢＢ以下を意味する。
【００１４】
図１乃至図５に示される巻装部材２において、１組のフランジ部２２，２２は、筒状の胴部２１の軸芯方向に略直交するように、胴部２１の両端部からその径外方向に延出されている。つまり、フランジ部２２，２２は、胴部２１の軸芯方向両端部に設けられた鍔状の部分である。
また、胴部２１には、その径内中央部において、筒状の回転軸挿入部２３が設けられており、回転軸挿入部２３の外周面と胴部２１の内周面とが、連結リブ２４及び補強板２５によって連結されている。
連結リブ２４は、胴部２１の内周面と回転軸挿入部２３の外周面を架橋する板状の部分である。連結リブ２４は、回転軸挿入部２３の外周面から胴部２１の内周面にかけて放射状に複数箇所設けられている。
また、補強板２５は、胴部２１の内周面と回転軸挿入部２３の外周面を架橋する平板状の部分であり、胴部２１を補強するために設けられる。補強板２５は、その表面と一方のフランジ部２２の側周面との間に段差がないように設けられている。即ち、補強板２５と一方のフランジ部２２は、連続的に繋がった一枚の平板状に形成されている。
【００１５】
なお、図１及び図３において、連結リブ２４は、６箇所設けられているが、連結リブ２４の設置数は特に限定されず、適宜変更することが可能である。また、連結リブ２４を設けず、補強板２５のみで胴部２１と回転軸挿入部２３を連結することも可能である。また、同様に、補強板２５を設けずに、連結リブ２４だけで胴部２１と回転軸挿入部２３を連結することも可能である。
さらに、図１、図３及び図４において、補強板２５は、胴部２１の一端部側にのみ設けられているが、胴部２１の両端部側に設けることも可能である。また、補助板２５は、単に胴部２１を補強するためだけに用いられるのではなく、その平面に意匠印刷を施したシールを貼着し、宣伝効果を高めることもできる。
【００１６】
回転軸挿入部２３は、釣糸巻回装置の回転軸が挿入される孔である。また、回転軸挿入部２３は、回転軸に設けられたキーに嵌合するキー溝２３１を有する。釣糸巻回装置の回転軸を回転軸挿入部２３に挿入し、且つ、その装置の回転軸のキーとキー溝２３１を嵌合することで、巻装部材２が回転軸に固定される。そのため、装置の回転軸の高速回転に伴い、巻装部材２も回転し、その結果、釣糸４を高速で胴部２１に巻き取ることができる。
【００１７】
巻装部材２は、胴部２１及び胴部２１の両端部から延設された１組のフランジ部２２，２２に囲まれた巻取り部５を有している。この巻取り部５の容積を大きくすることで、より長い釣糸４を巻き取ることができる。巻取り部５の容積は、胴部２１の外径やフランジ部２２の延出長さを設定することで任意に変更することができる。
胴部２１の外径は、一般的には、３０ｍｍ〜１００ｍｍであり、フランジ部２２の延出長さは、一般的には、５ｍｍ〜２０ｍｍである。
【００１８】
なお、胴部２１は筒状であれば、特に限定されず、六角筒状などの多角筒状でもよいが、好ましくは略円筒状である。また、フランジ部２２の外周縁の形状も特に限定されないが、扉部材３の取り付け易さを考慮すると、略円形であることが好ましい。なお、本明細書において、略円とは、円形だけでなく楕円形を含む。
【００１９】
扉部材３は、フランジ部２２の外周縁部２２１に着脱可能に取り付けられている。
具体的には、本考案の扉部材３は、図６にも示すように、中央部が所定形状（例えば、略円形）に切り抜かれたドーナツ盤状の側壁部３１と、この側壁部３１の外周縁部から胴部２１の軸芯方向に延設された周壁部３２と、を有する。
扉部材３の周壁部３２は、その基端縁から先端縁にかけて、側壁部３１から離れるにつれ、側壁部３１の外側（即ち、胴部２１の径外方向）に向かうように斜めに延設されている。そのため、周壁部３２の先端縁は、側壁部３１の外周縁（周壁部３２の基端縁）よりも径外に位置するように形成されている。
【００２０】
周壁部３２の内周面には、フランジ部２２の外周縁部２２１に対応して、内壁部３３が径内方向に向けて突出した状態で周設されている。内壁部３３は、扉部材３の側壁部３１の近傍に設けられている。すなわち、内壁部は、扉部材３の側壁部３１から概ねフランジ部２２の肉厚分だけ側壁部３１から離れた位置に設けられている。
かかる内壁部３３と側壁部３１によってフランジ部２２の外周縁部２２１を挟持可能できる。すなわち、この内壁部３３、周壁部３２及び側壁部３１によって三方に囲まれた溝部３４が形成されており、この溝部３４は、フランジ部２２の外周縁部２２１に嵌合可能である。
溝部３４をフランジ部２２の外周縁部２２１に嵌合して、１組の扉部材３，３を巻装部材２のフランジ部２２，２２にそれぞれ取り付けることにより、巻装部材２の巻取り部５を扉部材３，３の周壁部３２，３２にて閉塞できる。かかる扉部材３，３は、フランジ部２２の外周縁部２２１に対して、溝部３４の凹凸嵌合によって取り付けられるため、容易に着脱可能である。
【００２１】
なお、扉部材３の側壁部３１の外周縁形状（扉部材３の正面視形状）は、取り付けられるフランジ部２２の外周縁形状に合わせて適宜変更することができるが、好ましくは、図６（ａ）に示されるように略円状である。
【００２２】
扉部材３の肉厚は特に限定されないが、好ましくは、側壁部３１の肉厚よりも周壁部３２の厚みの方が薄いことが好ましい。側壁部３１が薄すぎると、側壁部３１が変形しやすくなるので、扉部材３がフランジ部２２から不測に外れる虞がある。他方、周壁部３２が厚すぎると、周壁部３２の弾性力が大きくなり、後述する当接部３５に加わる押圧力が過度に大きくなる。その結果、当接部３５に挟持された釣糸４を引き出し難くなるおそれがある。
好ましくは、側壁部３１の肉厚は、１．５ｍｍ〜３ｍｍであり、周壁部３２の肉厚は、０．５ｍｍ〜１．５ｍｍである。
【００２３】
溝部３４の幅は、特に限定されず、フランジ部２２の外周縁部２２１の肉厚に合わせて適宜変更することができる。もっとも、溝部３４の幅がフランジ部２２の外周縁部２２１の肉厚に比して大きすぎる場合、フランジ部２２に扉部材３を安定して取り付けることが困難となる。そのため、溝部３４の幅は、フランジ部２２の外周縁部２２１の肉厚と略同じ又は若干小さいことが好ましい。
また、溝部３４の深さ（つまり、内壁部３３の突出長さ）は、特に限定されない。もっとも、溝部３４が余りに深すぎると、溝部３４をフランジ部２２の外周縁部２２１に嵌合させることが困難となり、また、取り付けた扉部材３をフランジ部２２から取り外すのも困難となる。そのため、溝部３４の深さは、０．５ｍｍ〜３ｍｍであることが好ましい。
【００２４】
１組のフランジ部２２，２２に取り付けられた１組の扉部材３，３は、一方の扉部材３と周縁部３２１と他方の扉部材３の周縁部３２１との間で、釣糸４を狭持することができる。
１組の扉部材３，３は、可撓性を有する柔軟な素材からなり、その周縁部３２１，３２１同士が互いに付勢し合って接している（即ち、合掌状に当接している）。そのため、１組の扉部材３，３の各周縁部３２１，３２１同士が互いに接した当接部３５には、一定の押圧力がかかっている。従って、当接部３５において、釣糸４を挟みこれを保持することができ、引き出された釣糸４は、当接部３５に常時狭持される。
また、当接部３５における押圧力は、使用者が釣糸４を引き出すことが困難なほど大きくはないので、使用者は、釣糸４を引っ張ることで、巻装部材２に巻き取られた釣糸４を引き出すことができる。
なお、当接部３５が形成される位置は、特に限定されない。例えば、当接部３５は、巻取り部５よりも胴部２１の径外方向であって、１組のフランジ部２２，２２間の中間点近傍に形成される。もっとも、当接部３５は、１組のフランジ部２２，２２の何れか一方側に偏った位置に形成されていてもよい（図示せず）。
【００２５】
扉部材３の素材は、当接部３５において一定の押圧力を生じさせ、且つ、巻装部材２から容易に着脱可能となるように、可撓性を有する柔軟な素材が用いられる。
このような素材としては、軟質性のポリ塩化ビニル、ポリエステル、ポリエチレン、ポリプロピレン、ポリエチレンテレフタレート、及びポリ塩化ビニリデンなどの軟質合成樹脂が挙げられる。
【００２６】
本考案では、扉部材３をフランジ部２２から取り外すことができるので、使用者が釣糸４を巻き戻す場合、扉部材３４を取り外すことで、図５に示すように、巻装部材２の巻取り部５を開放できる。
巻装部材２の巻取り部５を開放すれば、扉部材３の周壁部３２に邪魔されることなく、使用者は、容易に釣糸４を巻取り部５に巻き戻すことができる。
なお、図５においては、１組の扉部材３，３を巻装部材２（フランジ部２２）から取り外しているが、何れか一方の扉部材３のみを取り外して釣糸４を巻き戻すことも可能である（図示せず）。
【００２７】
上記扉部材３は、無色であってもよいが、必要に応じて着色されていてもよい。例えば、巻装部材２に巻き取られた釣糸の細さ（号数）によって扉部材３の色を分けることで、使用者が容易に所望の号数をもった釣糸を収納した釣糸用スプール１を選別することができる。
また、扉部材３は、透明であることが好ましく、さらに、上記のように釣糸に応じて色分けできることから有色透明であることがより好ましい。透明な扉部材３を用いることで、巻装部材２に扉部材３を取り付けた状態でも、巻き取られた釣糸の残量を目視によって確認することができる。
また、必要に応じて、扉部材３に各種夜光塗料を塗工し、又は、夜光顔料を配合した素材で扉部材３を構成してもよい。かかる扉部材３を用いることにより、暗闇でもスプール１の場所を発見できる。
【００２８】
本考案の釣糸用スプール１は、扉部材３によって引き出した釣糸４の中途部を狭持することができる。また、扉部材３は、フランジ部２２に着脱可能に取り付けられている。そのため、扉部材３を取り外すことによって巻取り部５を開放できるので、釣糸４を容易に巻取り部５に巻き戻すことができる。
【００２９】
本考案の釣糸用スプールは、上記実施形態に限定されず、本考案の意図する範囲で適宜設計変更できる。
以下、本考案の釣糸用スプールの様々な他の実施形態を説明するが、上記実施形態と同様の構成及び効果についてはそれらの説明を省略し、用語及び符号をそのまま援用する場合がある。
【００３０】
図７は、本考案の他の実施形態を示す、一部省略要部拡大断面図である。図７に示すように、１組の扉部材３，３の各周縁部３２１，３２１には、胴部２１の径外方向に突出し且つ互いに接しない突出部３６が一体的に形成されている。かかる突出部３６，３６同士は、互いに接していないため、使用者はこの突出部３６を容易に摘むことができる。突出部３６を摘んで引っ張ると、扉部材３が変形するので、扉部材３を巻装部材２から容易に取り外すことができる。
【００３１】
突出部３６は、図７（ａ）に示すように、１組の扉部材３，３の各周縁部３２１，３２１にそれぞれ形成されていることが好ましいが、図７（ｂ）に示すように、一方の扉部材３の周縁部３２１のみに形成されていてもよい。
もっとも、製造コストを考慮すると、１組の扉部材３，３は同一形状であることが好ましく、前記突出部３６は、１組の扉部材３，３の各周縁部３２１，３２１にそれぞれ形成されることが好ましい。
なお、一方の扉部材３の周縁部３２１にのみ突出部３６を設ける場合、突出部３６は、図７（ｂ）に示すように、他方の扉部材３の周縁部３２１側に突出するように形成されることが好ましい。突出部３６が、他方の扉部材３の周縁部３３１側に突出することで、当接部３５が、突出部３６によって覆われる。そのため、当接部３５から巻取り部５内に粉塵などが入り込むことを防止することができる。
【００３２】
図８は、本考案の他の実施形態を示す、一部省略要部拡大断面図である。
図８に示すように、１組の扉部材３，３の各周縁部３２１，３２１は、断面視略円状に形成されている。
扉部材３の周縁部３２１の断面視形状が略円状であるため、当接部３５において釣糸４にかかる押圧力を略一点に集中させることができる。また、扉部材３の周縁部３２１が曲面を有するため、扉部材３による釣糸４の擦り傷の発生を防止することができる。
なお、図８において、１組の扉部材３，３の各周縁部３２１，３２１が断面視略円状に形成されているが、本考案では、少なくとも一方の扉部材３の周縁部３２１が、断面視略円状に形成されていればよい。
【００３３】
また、本考案の釣糸用スプールの扉部材に、当接部の一部分の押圧力を変化させる押圧力変化手段が設けられていてもよい。
押圧力変化手段が設けられた部分では、当接部の他の領域に比して、釣糸を引き出すのに必要な力が変化する（増加又は減少する）。この押圧力変化手段が設けられた釣糸用スプールは、所定長さの釣糸を引き出す毎に、押圧力が変化する。この押圧力の変化を、釣糸を通じて使用者が感知することによって、目視によらずとも、使用者が釣糸をどの程度の長さまで引き出したのかを把握できる。
【００３４】
図９は、本考案の押圧力変化手段の一例を示した図面である。
図９において、押圧力変化手段は、一方の扉部材３の周縁部３２１に形成された凸状部３２２である。凸状部３２２は、他方の扉部材３の周縁部３２１側に突出し且つその周縁部３２１に接するように形成されている。なお、図９（ａ）は、凸状部３２２が形成された一方の扉部材３と凸状部が形成されていない他方の扉部材３（上記実施形態と同様の扉部材）とが、巻装部材２に取り付けられた釣糸用スプール１の部分断面図を示す。図９（ｂ）は、凸状部３２２が形成された一方の扉部材３の正面図を示す。
この一方の扉部材３に設けられた凸状部３２２の先端部が、他方の扉部材３の周縁部３２１に当接しているので、この凸状部３２２の、他方の扉部材３の周縁部３２１に対する押圧力は、一方の扉部材３の周縁部３２１の他の領域（凸状部３２２が形成されていない領域）の、他方の扉部材３の周縁部３２１に対する押圧力よりも大きい。つまり、凸状部３２２は他方の扉部材３の周縁部３２１に点状に当接しているのに対し、一方の扉部材３の周縁部３２１の他の領域は、他方の扉部材３の周縁部３２１にリング帯状に当接しているので、凸状部３２２の、他方の扉部材３の周縁部３２１に対する押圧力が大きくなる。
また、凸状部３２２の近傍における一方の扉部材３の周縁部３２１は、他方の扉部材３の周縁部３２１に対して僅かに離れているので、その間における押圧力は一番小さくなる。
このように、扉部材３を介して釣糸に加わる押圧力が周縁部３２１の周方向で異なっており（変化しており）、釣糸を引き出すときに必要な力は、釣糸が凸状部３２の先端部を通過する際に最も大きく、凸状部３２２の近傍を通過する際に最も小さくなる。
【００３５】
かかる凸状部３２２が設けられた釣糸用スプール１を用いれば、釣糸が凸状部３２２を通過する前後において、釣糸を引き出すための必要な力の変化によって釣糸に微振動が生じ、使用者が釣糸を介してその微振動を感知する。そして、その微振動を感知した回数を使用者がカウントすれば、釣糸を何周引き出したか（引き出した大凡の長さ）を把握できる。
【００３６】
図９において、凸状部３２２（押圧力変化手段）は、一方の扉部材３の周縁部３２１にのみ形成されているが、本考案では、押圧力変化手段は、１組の扉部材３，３のうち少なくとも一方の扉部材３の周縁部３２１に形成されていればよく、１組の扉部材３，３の各周縁部３２１，３２１にそれぞれ形成されていてもよい。
また、押圧力変化手段は、図９に示すように、扉部材３の周縁部３２１の一カ所にのみ設けることもできるし、所定間隔を開けて複数箇所設けることもできる（図示せず）。
なお、押圧力変化手段を所定間隔を開けて複数箇所設けた場合、引き出された釣糸の長さを、巻装部材２の胴部２１の一周分の長さよりも短い間隔で感知することが可能となる。
【００３７】
また、上記押圧力変化手段を設けることに加えて、又は、これに代えて、扉部材の側壁部に目盛りを表示してもよい（図示せず）。
目盛りは、胴部の外周長さに対応した長さ単位（例えば、ｍｍ単位又はｃｍ単位）の目盛りである。例えば、胴部の外周長さが１２ｃｍである場合、扉部材の側壁面に外部から視認できるように、１周を１２等分した目盛りを表示することなどが挙げられる。
扉部材の側壁部に直接印字することによって目盛りが表示されていてもよいし、或いは、目盛りを印刷したラベルを扉部材の側壁部に貼着することによって目盛りが表示されていてもよい。
【００３８】
さらに、図１０は、本考案の他の実施態様を示す斜視図である。
図１０の釣糸用スプール１では、扉部材３の側壁部３１の中央が切り抜かれておらず、平板状に形成されている。
このように側壁部３１を平板状とすることで、釣糸用スプール１の水密性がより向上し、扉部材３の内側にある巻装部材２が濡れるのを防止することができる。
【符号の説明】
【００３９】
１…釣糸用スプール、２…巻装部材、２１…胴部、２２…フランジ部、２３…回転軸挿入部、２４…連結リブ、２５…補強板、３…扉部材、３１…側壁部、３２…周壁部、３３…内壁部、３４…溝部、３５…当接部、４…釣糸、５…巻取り部
【図１】
0003172915.tif 000003
【図２】
0003172915.tif 000004
【図３】
0003172915.tif 000005
【図４】
0003172915.tif 000006
【図５】
0003172915.tif 000007
【図６】
0003172915.tif 000008
【図７】
0003172915.tif 000009
【図８】
0003172915.tif 000010
【図９】
0003172915.tif 000011
【図１０】
0003172915.tif 000012